(57)【要約】【課題】  容易に画像の表示を制御可能な電子機器および表示制御方法を提供する。【解決手段】  ＬＣＤに隣接するように静電センサーを設ける。静電センサーとの接触箇所を検出し、この接触箇所を起点としてＬＣＤと静電センサーとが並べられている方向と略同方向に伸びるエリアに含まれるＬＣＤの一部分に表示される表示内容を拡大処理する。拡大処理されることで生成された表示内容は、接触箇所を起点としてＬＣＤと静電センサーとが並べられている方向と略同方向に伸びるエリアに含まれるＬＣＤの一部分を覆うように表示される。【選択図】  図３
2009123170.tif 000002
【特許請求の範囲】
【請求項１】
表示部と、
前記表示部と隣接して設けられるセンサーと、
前記センサーへの接触箇所を起点として前記表示部と前記センサーとが並べられている方向と略同方向に伸びるエリアに含まれる前記表示部の一部分に表示される表示内容を指定する指定手段と、
前記指定手段によって指定された表示内容を編集処理する編集処理手段と、
前記編集処理手段によって編集処理されることで生成された表示内容を表示させる表示手段と、
を具備することを特徴とする電子機器。
【請求項２】
前記編集処理手段は、前記指定手段によって指定された表示内容を拡大処理する拡大処理手段であり、
前記表示手段は、前記拡大処理手段によって拡大処理されることで生成された表示内容を表示させる表示手段であることを特徴とする請求項１記載の電子機器。
【請求項３】
前記表示手段は、前記拡大処理されることで生成された表示内容を、前記センサーへの接触箇所を起点として前記表示部と前記センサーとが並べられている方向と略同方向に伸びるエリアに含まれる前記表示部の一部分を覆うように表示させる手段であることを特徴とする請求項２記載の電子機器。
【請求項４】
前記表示手段は、前記拡大処理されることで生成された表示内容を、前記センサーへの接触箇所を起点として前記表示部と前記センサーとが並べられている方向と略同方向に伸びるエリアに含まれる前記表示部の一部分以外の部分に表示される表示内容とともに表示する表示手段であることを特徴とする請求項２記載の電子機器。
【請求項５】
前記センサーへの接触箇所の移動方向を検出する検出手段をさらに具備し、
前記表示手段は、前記拡大処理手段によって拡大処理されることで生成された表示内容を前記検出手段によって検出された方向と逆方向に移動させて前記表示部に表示させることを特徴とする請求項２記載の電子機器。
【請求項６】
前記センサーへの接触箇所を起点として前記表示部と前記センサーとが並べられている方向と略同方向に伸びるエリアに含まれる前記表示部の一部分に表示される表示内容について拡大処理対象範囲を設定する設定手段をさらに具備し、
前記拡大処理手段は、この設定された拡大処理対象範囲に含まれる表示内容を拡大処理することを特徴とする請求項２記載の電子機器。
【請求項７】
前記表示手段は、前記センサーへの接触によって拡大処理された表示内容を前記センサーへ接触している状態から前記センサーへ接触していない状態に移行しても前記表示部に表示させる手段であることを特徴とする請求項２記載の電子機器。
【請求項８】
表示部を有する電子機器にて実行される表示制御方法において、
前記センサーへの接触箇所を起点として前記表示部と前記センサーとが並べられている方向と略同方向に伸びるエリアに含まれる前記表示部の一部分に表示される表示内容を指定し、
前記指定した表示内容を編集処理し、
前記編集処理されることで生成された表示内容を前記表示部に表示することを特徴とする表示制御方法。
【請求項９】
前記編集処理は、前記指定された表示内容を拡大する処理であり、
前記拡大処理されることで生成された表示内容を前記表示部に表示させることを特徴とする請求項８記載の表示制御方法。
【請求項１０】
前記拡大処理されることで生成された表示内容を、前記表示部と隣接して設けられるセンサーへの接触箇所を起点として前記表示部と前記センサーとが並べられている方向と略同方向に伸びるエリアに含まれる前記表示部の一部分を覆うように前記表示部に表示することを特徴とする請求項９記載の表示制御方法。
【請求項１１】
前記拡大処理されることで生成された表示内容を、前記表示部の一部分以外の部分に表示される表示内容とともに表示することを特徴とする請求項９記載の表示制御方法。
【請求項１２】
前記センサーへの接触箇所の移動方向を検出し、
前記拡大処理されることで生成された表示内容を前記検出された方向と逆方向に移動させて前記表示部に表示させることを特徴とする請求項９記載の表示制御方法。
【請求項１３】
前記表示部に表示される表示内容について拡大処理対象範囲を設定する設定手段によって前記センサーへの接触箇所を起点として前記表示部と前記センサーとが並べられている方向と略同方向に伸びるエリアに含まれる前記表示部の一部分に表示される表示内容について拡大処理対象範囲を設定し、この設定された拡大処理対象範囲に含まれる表示内容を拡大処理することを特徴とする請求項９記載の表示制御方法。
【請求項１４】
前記センサーへの接触によって拡大処理された表示内容を、前記センサーへ接触している状態から前記センサーへ接触していない状態に移行しても前記表示部に表示させることを特徴とする請求項９記載の表示制御方法。
【発明の詳細な説明】
【技術分野】
【０００１】
本発明は、画像の表示制御を実行する電子機器および表示制御方法に関する。
【背景技術】
【０００２】
近年、パーソナルコンピュータのディスプレイに表示される画像を拡大表示制御するといった表示を制御する技術の開発が進められている。
【０００３】
表示制御に関する技術の一つとして、表示部が設けられるケース面とヒンジを介して設けられるキーボードを設けられるケース面に上下スクロールバーを設け、この上下スクロールバーに対して接触操作を行うことで、表示部に表示される画像の拡大・縮小処理が実行される技術があった（特許文献１）。
【特許文献１】特開２００７−１２２６３３号公報（第９頁、第３，４図）
【発明の開示】
【発明が解決しようとする課題】
【０００４】
特許文献１に開示される技術では、上下スクロールバーを操作することで、表示部に表示されている画像のうちの特定の部分を拡大させることが可能であるが、画像を拡大するにあたり、ユーザは拡大したい箇所を特定する操作を行い、さらに、上下スクロールバーを操作して画像の拡大処理する操作を行わなければならず、手間がかかる。
【０００５】
そこで、本発明は、容易に画像の表示を制御可能な電子機器および表示制御方法を提供することを目的とする。
【課題を解決するための手段】
【０００６】
上記目的を達成するために、請求項１に関わる電子機器は、表示部と、表示部と隣接して設けられるセンサーと、センサーへの接触箇所を起点として表示部とセンサーとが並べられている方向と略同方向に伸びるエリアに含まれる表示部の一部分に表示される表示内容を指定する指定手段と、指定手段によって指定された表示内容を編集処理する編集処理手段と、編集処理手段によって編集処理されることで生成された表示内容を表示させる表示手段とを具備することを特徴とする。
【０００７】
また、請求項８に関わる表示制御方法は、表示部を有する電子機器にて実行される表示制御方法において、センサーへの接触箇所を起点として表示部とセンサーとが並べられている方向と略同方向に伸びるエリアに含まれる表示部の一部分に表示される表示内容を指定し、指定した表示内容を編集処理し、編集処理されることで生成された表示内容を表示部に表示することを特徴とする。
【発明の効果】
【０００８】
本発明によれば、容易に画像の表示を制御可能な電子機器および表示制御方法を提供することが可能となる。
【発明を実施するための最良の形態】
【０００９】
図１はノートブック型パーソナルコンピュータ（以下、コンピュータと称す。）１のディスプレイユニット３を本体２に対して開いた状態の一例を示す図である。
【００１０】
コンピュータ１は本体２とディスプレイユニット３とから構成される。本体２およびディスプレイユニット３は電子部品を内蔵する筐体である。
【００１１】
ディスプレイユニット３は、本体２とヒンジを介して接続される。ディスプレイユニット３は、本体２に対して開放位置と閉塞位置との間を回動自在に取り付けられる。
【００１２】
ディスプレイユニット３には、ＬＣＤ４が組み込まれており、ディスプレイユニット３のほぼ中央に位置される。
【００１３】
ディスプレイユニット３に組み込まれるＬＣＤ４と隣接するように、静電センサー７が設けられる。
【００１４】
ユーザがこの静電センサー７に接触すると、ＬＣＤ４に表示されている画像の一部が拡大表示される。ユーザによる静電センサー７への接触に応じた画像の一部拡大処理については、後述にて詳細に説明する。
【００１５】
本体２は略箱形の形状を有しており、本体２の上面にはキーボード５、コンピュータ１の電源オン／オフするためのパワーボタン６が設けられる。パワーボタン６はコンピュータ１を使用開始する際、押し下げ操作される。次に、コンピュータ１の構成について説明する。
【００１６】
図２は、コンピュータ１の構成の一例を説明するブロック図である。
【００１７】
まず、本体２の構成について説明する。
【００１８】
ホストハブ（第１のブリッジ回路）１１には、ＣＰＵ１０、メインメモリ１３、グラフィックスコントローラ１５およびＩ／Ｏ（Input/Output）ハブ２０が接続されている。
【００１９】
ホストハブ１１はＦＳＢ（Ｆｒｏｎｔ  Ｓｉｄｅ  Ｂｕｓ）１２を介してＣＰＵ１０と接続される。ホストハブ１１にはメインメモリ１３へのアクセスを制御するメモリコントローラが内蔵される。
【００２０】
ＣＰＵ１０はコンピュータ１の動作を制御するメインプロセッサである。ＣＰＵ１０は外部記憶装置であるＨＤＤ２１からメモリバス１４を介してメインメモリ１３にロードされる、オペレーティングシステム（ＯＳ）、アプリケーションプログラム等を実行する。
【００２１】
ホストハブ１１にバス１６を介して接続されるグラフィクスコントローラ１５はＬＣＤ４にデジタル表示信号を出力する。グラフィクスコントローラ１５にはビデオメモリ（ＶＲＡＭ）１７が接続されており、グラフィックスコントローラ１５はＯＳ／アプリケーションプログラムによってビデオメモリ１７に描画されたデータをＬＣＤ４に表示する。
【００２２】
ホストハブ１１と例えばハブインターフェイスといった専用バスで接続されるＩ／Ｏハブ（第二のブリッジ回路）２０は、ＬＰＣ（low pin count）バス２２上の各デバイスを制御する。
【００２３】
Ｉ／Ｏハブ２０は外部記憶装置であり例えばシリアルＡＴＡ規格をサポートするＨＤＤ２１とシリアルＡＴＡ規格をサポートするシリアルＡＴＡバスを介して接続される。
【００２４】
ＨＤＤ２１にはオペレーティングシステム（ＯＳ）、アプリケーションプログラムおよびアプリケーションプログラムを使用することで生成されたデータ等が記憶される。
【００２５】
Ｉ／Ｏハブ２０にはＵＳＢコントローラ２０ａが内蔵されており、このＵＳＢコントローラ２０ａにＵＳＢ（Universal Serial Bus）２０ｂが接続される。このＵＳＢ２０ｂについては後述にて詳細に説明する。
【００２６】
ＬＰＣバス２２上にはエンベデッドコントローラ／キーボードコントローラＩＣ（ＥＣ／ＫＢＣ）２３が接続される。
【００２７】
エンベデッドコントローラ／キーボードコントローラＩＣ（ＥＣ／ＫＢＣ）２３は、電力管理等を行うためのエンベデッドコントローラと、キーボード（ＫＢ）５を制御するためのキーボードコントローラとが集積された１チップマイクロコンピュータである。
【００２８】
ＥＣ／ＫＢＣ２３にはキーボード５、パワーボタン６およびＰＳＣ（Power Supply Controller）２５が接続される。
【００２９】
ユーザがパワーボタン６を操作すると、ＥＣ／ＫＢＣ２３はパワーボタン６が操作されたことを検出する。ＥＣ／ＫＢＣ２３は、パワーボタン６が操作されたことを検出すると、例えば本コンピュータ１のシステムに対して電源供給を開始するようにＰＳＣ２５に通知する。ＰＳＣ２５の制御によって、ＡＣアダプタまたは二次電池から供給される電力をコンピュータ１内の各モジュールに供給する。
【００３０】
ディスプレイ３に設けられる静電センサー７は、ＵＳＢコントローラ２０ａとＵＳＢ２０ｂを介して接続される。
【００３１】
静電センサー７によって感知された接触位置のデータは、ＵＳＢ２０ｂを介してＵＳＢコントローラ２０ａに伝送される。ＵＳＢコントローラ２０ａに伝送された接触位置のデータは、ＣＰＵ１０によって実行される画像拡大アプリケーションによって処理される。画像拡大アプリケーションによる接触位置のデータの処理については、後述にて詳細に説明する。次に、静電センサー７への接触に応じた画像の一部拡大処理について説明する。
【００３２】
図３は、静電センサー７への接触に応じた画像の一部拡大処理の一例を説明する図である。
【００３３】
図３中の（１）（２）（３）に示すように、ユーザが例えば指を用いて静電センサー７に接触すると、静電センサー７への接触箇所を起点としてＬＣＤ４と静電センサー７とが並べられている方向、すなわち横方向と略同方向に伸びるエリアに含まれるＬＣＤ４の一部分に表示される画像が拡大表示される。
【００３４】
図３（１）には静電センサー７に対して指１本を接触させた場合が示され、図３（２）には静電センサー７に接触させる指の位置を図３（１）に示される場合と比較して上の位置に移動させた場合が示され、図３（３）には静電センサー７に対して指３本を接触させた場合が示される。拡大された画像は、拡大されていない画像部分と共にＬＣＤ４に表示される。
【００３５】
ＬＣＤ４に表示される画像中のエリア４ａが、静電センサー７への接触箇所を起点としてＬＣＤ４と静電センサー７とが並べられている方向と略同方向に伸びるエリアに含まれるＬＣＤ４の一部分に表示される画像に相当する。
【００３６】
このエリア４ａが拡大処理されエリア４ｂとなる。エリア４ａ内の部分画像４ｃは拡大処理されることによって部分画像（以後、拡大部分画像と称す。）４ｄとなる。エリア４ａを拡大処理することで生成されたエリア４ｂは、エリア４ａ以外の画像部分（拡大対象外エリア）と共にＬＣＤ４に表示される。次に、画像拡大アプリケーションによってなされるエリア４ａの拡大および表示処理手順について説明する。
【００３７】
図４は、画像拡大アプリケーションによってなされる、エリア４ａの拡大および表示処理手順の一例を説明する流れ図である。
【００３８】
静電センサー７によって感知された接触箇所のデータは、ＵＳＢ２０ｂを介してＵＳＢコントローラ２０ａに伝送され、ＣＰＵ１０によって実行される画像拡大アプリケーションによって処理される。ＣＰＵ１０が画像拡大アプリケーションを実行することでなされる処理を説明する。
【００３９】
画像拡大アプリケーションは、ＵＳＢコントローラ２０ａから伝送されてきた接触箇所のデータをリードする（ステップ  Ｓ１００）。
【００４０】
予め設定されている感度値を用いて、ステップＳ１００にてリードした接触箇所のデータを補正する（ステップ  Ｓ１０１）。この補正処理によって、本アプリケーションにて用いる接触箇所のデータを決定する。以下、Ｓ１００にてリードした接触箇所のデータの補正について、図５，６を用いて説明する。
【００４１】
図５に示すように、静電センサー７の底部からｙ軸方向に、何ｍｍ（ｐｏｓ１）〜何ｍｍ（ｐｏｓ２）の箇所に接触箇所が位置するかを算出する（ステップ  Ｓ１０１−１，Ｓ１０１−２）。
【００４２】
ｐｏｓ２の値からｐｏｓ１の値を減算することで、静電センサー７上の接触箇所の値であるｐｏｓ３を算出する（ステップ  Ｓ１０１−３）。
【００４３】
ステップＳ１０１−３にて算出した静電センサー７上の接触箇所の値ｐｏｓ３、静電センサー７の底部から上部までのｙ軸方向の高さの値ｗｉｄ１、ＬＣＤ４の底部から上部までのｙ軸方向の高さの値ｗｉｄ２を用いて、ＬＣＤ４中の拡大対象エリアの縦幅ｐｏｓ６の値を算出する（ステップ  Ｓ１０２−１）。
【００４４】
静電センサー７の底部から上部までのｙ軸方向の高さの値ｗｉｄ１、ＬＣＤ４の底部から上部までのｙ軸方向の高さの値ｗｉｄ２、ステップＳ１０１−１にて算出したｐｏｓ１の値を用いて、図５中におけるｐｏｓ４の値を算出する（ステップ  Ｓ１０２−２）。
【００４５】
ＬＣＤ４の底部からｙ軸方向のｐｏｓ４の箇所に、縦幅ｐｏｓ６、ＬＣＤ４のｘ軸方向の幅である横幅ｗｉｄ３のエリア４ａを設ける（ステップ  Ｓ１０２−２）（図６（１）参照）。ステップＳ１０２−２でエリア４ａを設けることで、拡大対象エリアをエリア４ａと指定する。
【００４６】
ＬＣＤ４に表示される画像の一部分であるエリア４ａを拡大処理することで、図６（２）に示すエリア４ｂが生成される（ステップ  Ｓ１０３）。
【００４７】
ＬＣＤ４に表示される画像のうちエリア４ａ以外の画像部分（拡大対象外エリア）とステップＳ１０３にて生成されたエリア４ｂとを合成処理する（ステップ  Ｓ１０４）。このとき、例えば、図６（３）に示すエリアである拡大対象外エリア中のエリア４ｅにエリア４ｂが重なるように、拡大対象外エリアとエリア４ｂとが合成処理される。
【００４８】
このように、ＬＣＤ４に隣接するように設けられた静電センサー７への接触箇所を起点としてＬＣＤ４と静電センサー７とが並べられる方向と略同方向に伸びるエリアに含まれるＬＣＤ４に表示される表示内容を拡大処理することで、ユーザは自分が拡大処理したいと望んだ画像部分を容易に拡大処理することが可能となる。
【００４９】
また、静電センサー７への接触箇所を起点としてＬＣＤ４と静電センサー７とが並べられる方向と略同方向に伸びるエリアに含まれるＬＣＤ４中の表示部分に表示される画像を拡大処理する構成にすることで、ユーザはＬＣＤ４中のどの部分が拡大処理されるかを直感的に判ることが可能となる。
【００５０】
なお、ステップＳ１０１にて用いられる感度値は、ユーザによって設定可能な値であるとしてもよい。
【００５１】
次に、画像拡大アプリケーションによって拡大処理された画像を、ＬＣＤ４の画面上で移動させる処理について説明する。
【００５２】
図７は、画像拡大アプリケーションによってなされる、静電センサー７への接触箇所のｘ軸方向に沿っての移動に対応する、エリア４ｂのＬＣＤ４の画面上での移動処理手順の一例を説明する流れ図である。
【００５３】
画像拡大アプリケーションは、ＵＳＢコントローラ２０ａから伝送されてきた、指が静電センサー７上を移動する前のｘ軸方向における静電センサー７への接触箇所のデータをリードする（ステップ  Ｓ２００）。
【００５４】
予め設定されている感度値を用いて、ステップＳ２００にてリードした接触箇所のデータを補正する（ステップ  Ｓ２０１）。この補正処理によって、本アプリケーションにて用いる、指が静電センサー７上を移動する前のｘ軸方向における接触箇所のデータを決定する。以下、Ｓ２００にてリードした接触箇所のデータの補正について、図８を用いて説明する。
【００５５】
図８に示すように、静電センサー７のｘ軸正方向に、何ｍｍ（ｐｏｓ７）〜何ｍｍ（ｐｏｓ８）の箇所に接触箇所が位置するかを算出する（ステップ  Ｓ２０１−１，Ｓ２０１−２）。
【００５６】
ｐｏｓ８の値からｐｏｓ７の値を減算することで、静電センサー７上の接触箇所の値であるｐｏｓ９を算出する（ステップ  Ｓ２０１−３）。
【００５７】
次に、画像拡大アプリケーションは、ＵＳＢコントローラ２０ａから伝送されてきた、指が静電センサー７上を移動した後のｘ軸方向における静電センサー７への接触箇所のデータをリードする（ステップ  Ｓ２０２）。
【００５８】
予め設定されている感度値を用いて、ステップＳ２０２にてリードした接触箇所のデータを補正する（ステップ  Ｓ２０３）。
【００５９】
図８に示すように、静電センサー７のｘ軸正方向に、何ｍｍ（ｐｏｓ１０）〜何ｍｍ（ｐｏｓ１１）の箇所に接触箇所が位置するかを算出する（ステップ  Ｓ２０３−１，Ｓ２０３−２）。
【００６０】
ｐｏｓ１１の値からｐｏｓ１０の値を減算することで、静電センサー７上の接触箇所の値であるｐｏｓ１２を算出する（ステップ  Ｓ２０３−３）。
【００６１】
次に、静電センサー７上の指の移動方向の決定および移動量の算出について説明する。
【００６２】
ｐｏｓ１０の値がｐｏｓ７の値よりも大きいか否か判断する（ステップ  Ｓ２０４）。
【００６３】
ｐｏｓ１０の値がｐｏｓ７の値よりも大きいと判断した場合（ステップ  Ｓ２０４  Ｙｅｓ）、指がｘ軸正の方向に移動したと判断する（ステップ  Ｓ２０５）。
【００６４】
一方、ｐｏｓ１０の値がｐｏｓ７の値よりも小さいと判断した場合（ステップ  Ｓ２０４  Ｎｏ）、指がｘ軸負の方向に移動したと判断する（ステップ  Ｓ２０６）。
【００６５】
さらに、ｐｏｓ７の値からｐｏｓ１０の値を減算した値の絶対値を算出する（ステップ  Ｓ２０７）。
【００６６】
次に、拡大処理することで生成されたエリア４ｂの移動による画像の生成について説明する。
【００６７】
ステップＳ２０５またはステップＳ２０６にて判断した方向と逆の方向を決定する（ステップ  Ｓ２０８）。ステップＳ２０５にて"指がｘ軸正の方向に移動した"と判断した場合、ステップＳ２０８にて決定される方向は、"ｘ軸負の方向"であり、ステップＳ２０６にて"指がｘ軸負の方向に移動した"と判断した場合、ステップＳ２０８にて決定される方向は、"ｘ軸正の方向"である。
【００６８】
ステップＳ２０７にて算出した、指のｘ軸方向における移動量の値に基づいて、エリア４ｂの移動量ｐｏｓ１４を算出する（ステップ  Ｓ２０９）。ステップＳ２０９の算出では、予め設定されている指の単位移動量に対するエリア４ｂの移動量（ｄｏｔ／ｍｍ）の値を用いる。
【００６９】
ステップＳ２０８にて決定した方向に、ステップＳ２０９にて算出した量だけエリア４ｂを移動させた画像を生成する（ステップ  Ｓ２１０）。
【００７０】
ステップ２１０にて生成した画像とＬＣＤ４に表示される画像のうちの拡大対象外エリアの画像とを合成処理する（ステップ  Ｓ２１１）。
【００７１】
ステップＳ２１１の合成処理にて生成された画像をＬＣＤ４に表示することで、例えば、図９の（１）および（２）に示すように、静電センサー７への接触箇所をｘ軸に沿って左方向に移動させた場合、拡大処理して生成された画像４ｂをＬＣＤ４の画面にてｘ軸に沿って右方向に移動させた画像が表示される。
【００７２】
一方、図９の（１）および（３）に示すように、静電センサー７への接触箇所をｘ軸に沿って右方向に移動させた場合、拡大処理して生成された画像４ｂをＬＣＤ４の画面にてｘ軸にそって左方向に移動させた画像が表示される。
【００７３】
静電センサー７上の接触箇所の移動に伴い、拡大処理して生成された画像を静電センサー７上での接触箇所の移動とは逆の方向に移動させることで、ユーザは、例えば拡大処理することでＬＣＤ４からはみ出した部分も静電センサー７上の接触箇所を移動させることでＬＣＤ４に表示させることが可能となる。
【００７４】
尚、図４および図５を用いて説明したエリア４ａの範囲の設定についてだが、エリア４ａの横幅をＬＣＤ４のｘ軸方向に沿った幅ｗｉｄ３に限定することなく、図９に示すように、静電センサー７への接触箇所を起点としてＬＣＤ４と静電センサー７とが並べられている方向、すなわち横方向と略同方向に伸びるエリアに含まれるＬＣＤ４の一部分のｘ軸方向の幅ｗｉｄ４、すなわちｗｉｄ３よりも小さい幅を設定することが可能である。
【００７５】
このエリア４ａの範囲の設定等は、図１１に示す設定画面を用いて行う。
【００７６】
図１１に示す設定画面には、拡大処理の対象の画像であるエリア４ａの範囲を設定するためのアイコンｗ１２、および、拡大処理後の画像であるエリア４ｂの範囲を設定するためアイコンであるｗ１３が表示される。
【００７７】
ユーザは、例えば、マウスカーソルを操作して、アイコンｗ１２、アイコンｗ１３の四辺中のいずれかの辺をドラッグすることで、拡大処理の対象の画像の範囲、拡大処理後の画像の範囲を設定する。
【００７８】
図１１（１）（２）に示すように、ユーザは、例えば、マウスカーソルを操作して、アイコンｗ１３の四辺中のいずれかの辺をドラッグすることで、拡大処理後の画像の範囲を設定する。
【００７９】
図１１（１）（２）に示す例では、アイコンｗ１３の四辺中の縦辺をドラッグすることで、拡大処理後の画像の範囲の横幅を小さくする例を示している。
【００８０】
また、図１１（１）（３）に示す例では、（２）に示す状態からアイコンｗ１３の四辺中の横辺をドラッグすることで、拡大処理後の画像の範囲の縦幅を大きくする例を示している。
【００８１】
このように設定画面に表示される拡大処理の対象の画像であるエリア４ａの範囲を設定するためのアイコンｗ１２、拡大処理後の画像であるエリア４ｂの範囲を設定するためのアイコンｗ１３の四辺中のいずれかの辺をマウスカーソルを用いてドラッグすることで、容易に、拡大処理の対象の画像であるエリア４ａ、拡大処理後の画像であるエリア４ｂの範囲を変更することが可能となる。
【００８２】
また、図１１に示す設定画面に表示される指のアイコンｗ１４をマウスカーソルを用いて操作することで、拡大処理の対象の画像の範囲および拡大処理後の画像の範囲を移動させた場合の夫々の状態を示すことが可能である。
【００８３】
図１１（１）（４）に示すように、例えば、ユーザがマウスカーソルを操作することで指のアイコンｗ１４を上方向に移動させると、アイコンｗ１２およびアイコンｗ１３も上方向へ移動する。このとき、アイコンｗ１２には移動後の拡大処理の対象の画像の状態が表示され、アイコンｗ１３には移動後の拡大処理後の画像の状態が表示される。
【００８４】
このように、マウスカーソルを操作することで設定画面に表示される指のアイコンｗ１４を移動させることで、ユーザは静電センサー７上を接触操作すること無く、拡大処理の対象の画像および拡大処理後の画像の状態を知ることが可能となる。
【００８５】
上述での説明では、静電センサー７をＬＣＤ４の縦辺に対して略平行となるように設ける場合について説明したが、図１２に示すように、静電センサー８をＬＣＤ４の横辺に対して略平行となるように設けてもよい。
【００８６】
この場合も、静電センサー７をＬＣＤ４の縦辺に対して略平行になるように設けた場合と同様で、静電センサー８への接触箇所を起点としてＬＣＤ４と静電センサー８とが並べられている方向、すなわち縦方向と略同方向に伸びるエリアに含まれるＬＣＤ４に表示される画像が拡大処理される。
【００８７】
さらに、図１３に示すように、静電センサー７をＬＣＤ４の縦辺に対して略平行になるように、および、静電センサー８をＬＣＤ４の横辺に対して略平行になるように設けても良い。
【００８８】
さらに、図１４に示すように、静電センサー７に対して指を接触操作することで画像を拡大処理した後、指を静電センサー７から離しても拡大した状態を維持する構成としてもよい。
【００８９】
この場合、ユーザが静電センサー７に対して指を接触操作することで画像を拡大させた後に指を静電センサー７から離した状態にて、再び、静電センサー７に接触操作することで、その接触操作に応じて画像を拡大させる構成としてもよい。
【００９０】
上述にて説明した動作の他に、例えば、キーボード５中の特定のキーを押下しながら、静電センサー７を上下に接触操作することで、静電センサー７の接触位置に対応するＬＣＤ４の対象エリアを拡大・縮小する処理を行う構成にしてもよい。
【００９１】
また、静電センサー７をタップした場合、すなわち、所定の時間内に所定の回数、静電センサー７に接触させた場合、静電センサー７の接触箇所に対応するＬＣＤ４の対象エリアを拡大・縮小する処理を行う構成にしてもよい。
【００９２】
また、静電センサー７が２箇所以上の接触点を感知可能なセンサーである場合、ユーザの２本の指で静電センサー７上を上下にスライドさせることで、ＬＣＤ４の対象エリアを拡大・縮小する処理を行う構成にしてもよい。
【００９３】
また、本発明では、静電センサー７に接触操作させた場合に、静電センサー７への接触箇所を起点としてＬＣＤ４と静電センサー７とが並べられる方向と略同方向に伸びるエリアに含まれるＬＣＤ４中の表示部分に表示される画像を拡大処理する構成を説明しているが、これに限ることなく、例えば、静電センサー７への接触箇所を起点としてＬＣＤ４と静電センサー７とが並べられる方向と略同方向に伸びるエリアに含まれるＬＣＤ４中の表示部分に表示される画像を反転処理するといった構成であってもよい。すなわち、静電センサー７への接触箇所を起点としてＬＣＤ４と静電センサー７とが並べられる方向と略同方向に伸びるエリアに含まれるＬＣＤ４中の表示部分に表示される画像を編集する構成であってもよい。
【００９４】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００９５】
【図１】ノートブック型パーソナルコンピュータ１のディスプレイユニット３を本体２に対して開いた状態の一例を示す図。
【図２】コンピュータ１の構成の一例を説明するブロック図。
【図３】静電センサー７への接触に応じた画像の一部拡大処理の一例を説明する図。
【図４】エリア４ａの拡大処理手順の一例を説明する流れ図。
【図５】画像の拡大処理を説明する図。
【図６】画像の拡大処理を説明する図。
【図７】静電センサー７の接触箇所のｘ軸方向への移動に対応する、拡大されたエリア４ｂの移動処理手順の一例を説明する流れ図。
【図８】静電センサー７の接触箇所のｘ軸方向への移動に対応する、拡大されたエリア４ｂの移動を説明する図。
【図９】静電センサー７の接触に応じた拡大部移動処理の一例を説明する図。
【図１０】エリア４ａの範囲の設定の一例について説明する図。
【図１１】エリア４ａの設定等を行うための設定画面。
【図１２】静電センサー８のＬＣＤ４に対する第２の配置例を示す図。
【図１３】静電センサー７および静電センサー８のＬＣＤ４に対する第３の配置例を示す図。
【図１４】静電センサー７に対して指を接触操作することで画像を拡大処理した後、指を静電センサー７から離しても拡大した状態を維持することを説明する図。
【符号の説明】
【００９６】
１…コンピュータ、２…本体、３…ディスプレイユニット、４…ＬＣＤ、
５…キーボード、６…パワーボタン、７…静電センサー、８…静電センサー、
【図１】
2009123170.tif 000003
【図２】
2009123170.tif 000004
【図３】
2009123170.tif 000005
【図４】
2009123170.tif 000006
【図５】
2009123170.tif 000007
【図６】
2009123170.tif 000008
【図７】
2009123170.tif 000009
【図８】
2009123170.tif 000010
【図９】
2009123170.tif 000011
【図１０】
2009123170.tif 000012
【図１１】
2009123170.tif 000013
【図１２】
2009123170.tif 000014
【図１３】
2009123170.tif 000015
【図１４】
2009123170.tif 000016